(57)【要約】【課題】飼料や穀類を充填した後の密封状態がより良好で、より開封しやすいクラフト紙袋を提供すること。【解決手段】少なくともクラフト紙層を有し、クラフト紙層を最外層とする筒体の一方端部が、筒体の表面側に向けて少なくとも１回折り返された状態で、接着面を有する破断可能なテープが、筒体の折り返された一方端部を、表裏両面から挟持している、クラフト紙袋であって、破断可能なテープの長さが、筒体の幅よりも、０ｍｍより大きく６０ｍｍ以下の長さだけ長く、破断可能なテープの幅は、筒体の折り返された一方端部を挟持した状態で、筒体の表面側が４５ｍｍ以上９０ｍｍ以下であり、筒体の裏面側が０ｍｍ以上４５ｍｍ以下であって、破断可能なテープのうち、筒体からはみ出した摘みしろの少なくとも一部には、筒体の折り返された端部が保持される位置に、筒体の端部と平行な１本の切れ込みが設けられていることを特徴とする、クラフト紙袋。【選択図】図１
2017214104.tif 000002
【特許請求の範囲】
【請求項１】
少なくともクラフト紙層を有し、前記クラフト紙層を最外層とする筒体の一方端部が、前記筒体の表面側に向けて少なくとも１回折り返された状態で、接着面を有する破断可能なテープが、筒体の折り返された一方端部を、表裏両面から挟持している、クラフト紙袋であって、
前記破断可能なテープの長さが、前記筒体の幅よりも、０ｍｍより大きく６０ｍｍ以下の長さだけ長く、
前記破断可能なテープの幅は、前記筒体の折り返された一方端部を挟持した状態で、前記筒体の表面側が４５ｍｍ以上９０ｍｍ以下であり、前記筒体の裏面側が０ｍｍ以上４５ｍｍ以下であって、
前記破断可能なテープのうち、前記筒体からはみ出した摘みしろの少なくとも一部には、前記筒体の折り返された端部が保持される位置に、前記筒体の端部と平行な１本の切れ込みが設けられていることを特徴とする、クラフト紙袋。
【請求項２】
前記筒体の表面側の、前記破断可能なテープの接着面側に、前記筒体の端部と平行な硬質材料製テープが設けられており、
前記硬質材料製テープは、前記切れ込みを挟んで、前記筒体の折り返された一方端部の反対側に設けられており、
前記硬質材料製テープの幅方向端部と、前記切れ込みが、略一致した位置に保持されている、請求項１に記載のクラフト紙袋。
【請求項３】
前記筒体の表面側において、前記切れ込みから、前記破断可能なテープの幅方向端部までの距離が、１５ｍｍ以上７０ｍｍ以下である、請求項１又は２に記載のクラフト紙袋。
【請求項４】
前記筒体の表面側において、前記一方端部を上方とするとき、前記破断可能なテープの左側の摘みしろの長さが、前記破断可能なテープの右側の摘みしろの長さよりも長い、請求項１から３のいずれかに記載のクラフト紙袋。
【請求項５】
前記破断可能なテープの接着面に、酢酸ビニル系接着剤が用いられる、請求項１から４のいずれかに記載のクラフト紙袋。
【請求項６】
前記クラフト紙層の内層に熱可塑性樹脂層が設けられていて、筒体がクラフト紙層と熱可塑性樹脂層の少なくとも２層からなり、前記熱可塑性樹脂層が、ポリオレフィン樹脂層である、請求項１から５のいずれかに記載のクラフト紙袋。
【請求項７】
前記熱可塑性樹脂層に代えて、熱可塑性樹脂層をラミネートしたクラフト紙層、又は熱可塑性樹脂層からなるヤーンをラミネートしたクラフト紙層を用いる、請求項６に記載のクラフト紙袋。
【発明の詳細な説明】
【技術分野】
【０００１】
本発明は、取り扱い性及び開封容易性が改善された、クラフト紙袋に関する。
【背景技術】
【０００２】
従来、粉末又は粒状の飼料や穀類等を充填して保管又は輸送するための包装容器として、クラフト紙袋が知られている。クラフト紙袋では、外側が紙であるので積み重ねても滑りにくく、又、外袋の枚数を増やすことで強度を高めることができるので、例えば２０ｋｇ以上にもなるような高重量の内容物を充填した場合でも、これらを積み重ねて輸送等を安全に行うことができる。更に、湿気を嫌う粉末又は粒状の飼料や穀物の保管や輸送の場合には、ポリエチレン等の熱可塑性樹脂製の内袋の外側に、クラフト紙等の紙製の外袋を重ねた複層体が好適に使用される。
【０００３】
一般に、クラフト紙袋は、糊による貼り合せや、ホットメルト樹脂による接着、ミシン糸による縫製等、使用者のニーズに合わせて様々な方法で封緘されている。これらの方式による場合、封緘が強固であるものの、開封時に刃物を用いる必要があり手間がかかるというような問題がある。開封時の取り扱い性を向上させるための手段としては、例えば、環縫いにより、縫った方向と逆方向に糸を引き抜く縫製方法や、クラフト紙袋の封緘部分の紙テープにプラスチックテープを接着させる方法が知られており（特許文献１）、後者の場合、開封時にこのテープを引き抜くことで紙テープを破り、内容物の取り出し口を形成することができる。
【０００４】
ところで、従来知られているクラフト紙袋の中には、内袋と外袋とを組み合わせてから、両袋について同時に底部を２回以上折り曲げて密封したものも知られている。具体的には、２枚又は３枚以上重ねたクラフト紙を筒状にし、その中に内袋となる熱可塑性樹脂製の内袋を入れて当該内袋の底部となる箇所をクラフト紙の上から溶着させ、さらに底部を両袋について同時に２回又はそれ以上折り曲げて、当該折り曲げ部分を縫製等することにより密封している。
【０００５】
しかし、このように内袋と外袋とがともに２回以上折り返されて密封されたクラフト紙袋は、内袋が外袋に巻き込まれた状態となっているので、使用後に処分する際、内袋を外袋から分離することができない。したがって、廃棄処分やリサイクルが容易でないという問題があった。
【０００６】
このような問題を解決するため、特許文献２には、熱可塑性樹脂製の内袋と、内袋の外側に２枚以上重ねた紙製の外袋とを有するクラフト紙袋であって、内袋が底部において溶着され、かつ開口部において最内側の外袋と接着されており、内袋と外袋は底部において一回だけ折り返されて、最外側の外袋には折り返された部分を覆う封緘用の紙テープが接着されて折り返しが保たれているクラフト紙袋が開示されている。
【先行技術文献】
【特許文献】
【０００７】
【特許文献１】特開平０５−２４６４４１号公報
【特許文献２】特開２００４−１７５４４４号公報
【発明の概要】
【発明が解決しようとする課題】
【０００８】
特許文献１の封緘方法では、プラスチックテープが細いため、これらの端部をつかみにくく、クラフト紙袋の開封がしづらいという問題があった。また、特許文献２に記載のクラフト紙袋は、使用後において、内袋と外袋を容易に分離することができる。しかし、さらに、紙テープによるクラフト紙袋の密封状態を良好なものとしつつ、クラフト紙袋から充填された飼料や穀類を取り出す際に、クラフト紙袋をより開封しやすいものとする必要があった。したがって、本発明は、以上の課題に鑑みてなされたものであり、飼料や穀類を充填した後の密封状態がより良好で、より開封しやすいクラフト紙袋を提供して、内袋を入れる場合は分離してリサイクルしやすくすることを目的とする。
【課題を解決するための手段】
【０００９】
本発明の発明者らは、上記課題を解決するために鋭意研究を行った。その結果、少なくともクラフト紙層を有する筒体からなり、一方端部が少なくとも１回折り返された状態で、接着面を有する破断可能なテープが、筒体の折り返された一方端部を、表裏両面から挟持しているクラフト紙袋において、破断可能なテープの長さ及び幅を調整し、かつ筒体からはみ出した、破断可能なテープの摘みしろに、所定の切れ込みを設けたクラフト紙袋によれば、上記課題を解決できることを見出し、本発明を完成するに至った。具体的には、本発明は以下のものを提供する。
【００１０】
（１）本発明の第１の態様は、少なくともクラフト紙層を有し、前記クラフト紙層を最外層とする筒体の一方端部が、前記筒体の表面側に向けて少なくとも１回折り返された状態で、接着面を有する破断可能なテープが、筒体の折り返された一方端部を、表裏両面から挟持している、クラフト紙袋であって、前記破断可能なテープの長さが、前記筒体の幅よりも、０ｍｍより大きく６０ｍｍ以下の長さだけ長く、前記破断可能なテープの幅は、前記筒体の折り返された一方端部を挟持した状態で、前記筒体の表面側が４５ｍｍ以上９０ｍｍ以下であり、前記筒体の裏面側が０ｍｍ以上４５ｍｍ以下であって、前記破断可能なテープのうち、前記筒体からはみ出した摘みしろの少なくとも一部には、前記筒体の折り返された端部が保持される位置に、前記筒体の端部と平行な１本の切れ込みが設けられていることを特徴とする、クラフト紙袋である。
【００１１】
（２）本発明の第２の態様は、（１）に記載のクラフト紙袋であって、前記筒体の表面側の、前記破断可能なテープの接着面側に、前記筒体の端部と平行な硬質材料製テープが設けられており、前記硬質材料製テープは、前記切れ込を挟んで、前記筒体の折り返された一方端部の反対側に設けられており、前記硬質材料製テープの幅方向端部と、前記切れ込みが、略一致した位置に保持されていることを特徴とするものである。
【００１２】
（３）本発明の第３の態様は、（１）又は（２）に記載のクラフト紙袋であって、前記筒体の表面側において、前記切れ込みから、前記破断可能なテープの幅方向端部までの距離が、１５ｍｍ以上７０ｍｍ以下であることを特徴とするものである。
【００１３】
（４）本発明の第４の態様は、（１）から（３）のいずれかに記載のクラフト紙袋であって、前記筒体の表面側において、前記一方端部を上方とするとき、前記破断可能なテープの左側の摘みしろの長さが、前記破断可能なテープの右側の摘みしろの長さよりも長いことを特徴とするものである。
【００１４】
（５）本発明の第５の態様は、（１）から（４）のいずれかに記載のクラフト紙袋であって、前記破断可能なテープの接着面に、酢酸ビニル系接着剤が用いられることを特徴とするものである。
【００１５】
（６）本発明の第６の態様は、（１）から（５）のいずれかに記載のクラフト紙袋であって、前記クラフト紙層の内側に熱可塑性樹脂層が設けられていて、筒体がクラフト紙層と熱可塑性樹脂層の少なくとも２層からなり、前記熱可塑性樹脂層が、ポリオレフィン樹脂層であることを特徴とするものである。
【００１６】
（７）本発明の第７の態様は、（６）に記載のクラフト紙袋であって、前記熱可塑性樹脂層に代えて、熱可塑性樹脂層をラミネートしたクラフト紙層、又は熱可塑性樹脂層からなるヤーンをラミネートしたクラフト紙層を用いることを特徴とするものである。
【発明の効果】
【００１７】
本発明のクラフト紙袋は、破断可能なテープの幅が、筒体の折り返された一方端部を挟持した状態で、筒体の表面側が筒体の裏面側よりも所定量長くなっている。このため、表面側に折り返された筒体の一方端部を、破断可能なテープで確実に固定することができ、折り曲げられた一方端部に重量がかかっても、クラフト紙袋の密封状態が好適に維持される。さらに、本発明のクラフト紙袋においては、破断可能なテープの長さが筒体の幅よりも所定量長く、破断可能なテープのうち、筒体からはみ出した摘みしろの少なくとも一部には、筒体の折り返された端部が保持される位置に、筒体の端部と平行な１本の切れ込みが設けられている。このため、摘みしろを指で容易に摘んで、破断可能なテープの一部を剥がすことができるとともに、破断可能なテープの一部を剥がした後には、筒体の折り返された端部が露出するので、クラフト紙袋に充填された内容物の自重により、クラフト紙袋を自然に開封させることができる。
【図面の簡単な説明】
【００１８】
【図１】本発明のクラフト紙袋表面の平面図である。
【図２】本発明のクラフト紙袋裏面の平面図である。
【図３】本発明のクラフト紙袋の一方端部の断面図である。
【図４】本発明のクラフト紙袋を開封する態様の模式図である。
【発明を実施するための形態】
【００１９】
以下、本発明を実施するための形態について、図面を参照して詳細に説明する。なお、以下の説明において、クラフト紙袋１の長手方向とは、筒体２の一方端部２３から他方端部２４に向かう方向であり、図中Ｙで示される方向であり、クラフト紙袋１の幅方向とは、クラフト紙袋１が置かれた平面上、クラフト紙袋１と直交する方向であって、図中Ｘで示される方向を指す。一方、破断可能なテープ３の長手方向とは、クラフト紙袋１の幅方向と一致する方法であって、図中Ｘで示される方向であり、破断可能なテープ３の幅方向とは、クラフト紙袋１の長手方向と一致する方向であって、図中Ｙで示される方向を指す。
【００２０】
＜クラフト紙袋＞
図１は、本発明のクラフト紙袋１の表面の平面図であり、図２は、本発明のクラフト紙袋１の裏面の平面図であり、図３は、本発明のクラフト紙袋１の一方端部２５の断面図である。本発明のクラフト紙袋１は、少なくともクラフト紙層２１を有し、好ましくはクラフト紙層２１及び熱可塑性樹脂層２２の少なくとも２層からなる筒体２と、筒体の一方端部２３を、表裏両面から挟持する破断可能なテープ３とからなる。
【００２１】
［筒体］
上述のとおり、筒体２は、少なくともクラフト紙層２１を有し、好ましくはクラフト紙層２１及び熱可塑性樹脂層２２の少なくとも２層からなるともに、クラフト紙層２１が筒体２の最外層を構成しており、その一方端部２３が、筒体２の表面側に向けて、少なくとも１回、好ましくは１回のみ折り返された状態で保持されている。クラフト紙袋１の筒体２は、クラフト紙袋１に内容物が充填される前の段階では、折り曲げられた一方端部２３のみが封緘されて、他方端部２４には開口部が形成されており、この開口部から、内容物を充填して、密封できるようになっている。一方端部２３が封緘された状態において、筒体２のクラフト紙層２１については、いわゆる、外袋を構成し、本発明の好ましい態様において設けられる熱可塑性樹脂層２２については、内袋を構成する。クラフト紙袋１の内袋が熱可塑性樹脂層２２により構成されることにより、他方端部２４が密封された状態において、内部の密封状態を良好に維持することができ、内容物の保存性を向上させることができる。
【００２２】
クラフト紙層２１や熱可塑性樹脂層２２から筒体２を形成する場合、クラフト紙を必要枚数重ね合わせて、クラフト紙の糊しろに接着剤を塗布して、筒状に形成する。ここで、クラフト紙の糊しろは、筒体２のどの部位に形成してもよいが、クラフト紙を複数枚積層する場合には、各クラフト紙の糊しろの位置を幅方向にずらしたほうが、クラフト紙袋１の強度を向上させることができるため、好ましい。そして、クラフト紙層２１を複数層設ける場合には、クラフト紙層２１の所定部位に接着剤等を塗布し、クラフト紙層２１を互いに固定することが好ましい。
【００２３】
クラフト紙を筒上に形成して、クラフト紙層２１のみからなる筒体を形成した後は、必要に応じて、このクラフト紙層２１のみからなる筒体の内側に、熱可塑性樹脂層２２からなる筒体を入れる。この熱可塑性樹脂層２２からなる筒体とクラフト紙層２１からなる筒体を、接着剤や糊等を用いて接着し、クラフト紙袋１の大きさに合わせて、筒体２を所定長さに切断する。そして、切断された筒体２の一方端部２３を折り返し、折り返された一方端部２３を後述する破断可能なテープ３で固定する。
【００２４】
上述のとおり、本発明のクラフト紙袋１においては、クラフト紙層２１の内層に熱可塑性樹脂層２２が設けられていることが好ましく、この場合、筒体２がクラフト紙層２１と熱可塑性樹脂層２２の少なくとも２層からなる。本発明の好ましい態様において使用される、熱可塑性樹脂層２２を構成する熱可塑性樹脂としては、特に限定されないが、クラフト紙袋１については、開口部を熱シールすることも想定されるため、包装容器に汎用される熱融着可能な熱可塑性樹脂を使用することが好ましく、例えば、直鎖状低密度ポリエチレン、低密度ポリエチレン、中密度ポリエチレン、高密度ポリエチレン、超低密度ポリエチレン、未延伸ポリプロピレン、エチレン−酢酸ビニル共重合体、エチレン−アクリル酸共重合体、エチレン−メチルメタクリレート共重合体、エチレン−アクリル酸メチル共重合体等を使用することができる。熱可塑性樹脂層２２は、これらの中でも、各種ポリエチレン等のポリオレフィン樹脂から構成されていることが好ましい。また、熱可塑性樹脂層２２に代えて、熱可塑性樹脂層をラミネートしたクラフト紙層、又は熱可塑性樹脂層からなるヤーンをラミネートしたクラフト紙層を用いてもよい。
【００２５】
クラフト紙袋１の筒体２の寸法は、クラフト紙袋１の容量によっても異なるが、一般的には、筒体２の一方端部２３を折り返した状態で、長手方向が、５９０ｍｍ以上１１００ｍｍ以下であることが好ましく、６５０ｍｍ以上９５０ｍｍ以下であることがより好ましく、幅方向が、３００ｍｍ以上６００ｍｍ以下であることが好ましく、３９０ｍｍ以上５８０ｍｍ以下であることがより好ましい。また、一方端部２３の折りしろの寸法は、２０ｍｍ以上４０ｍｍ以下であることが好ましく、２５ｍｍ以上３０ｍｍ以下であることがより好ましい。折りしろの寸法を上記の範囲内のものとすることにより、クラフト紙袋１が重量に十分耐えうるものとなるとともに、破断可能なテープ３を剥離した際には、一方端部２３が容易に開封するものとなる。
【００２６】
［破断可能なテープ］
図３は、本発明のクラフト紙袋１の一方端部２５の断面図であり、図４は、本発明のクラフト紙袋１を開封する態様の模式図である。本発明のクラフト紙袋１においては、筒体２の一方端部２３が少なくとも１回、好ましくは１回のみ折り返された状態で、接着面を有する破断可能なテープ３により、表裏両面から挟持されている。破断可能なテープ３の長さは、筒体２の幅よりも０ｍｍより大きく６０ｍｍ以下の長さだけ長く、１０ｍｍ以上３５ｍｍ以下長いことが好ましく、１５ｍｍ以上３５ｍｍ以下長いことがより好ましい。破断可能なテープ３が上記の寸法で、筒体２の幅方向にはみ出していることにより、この部位が摘みしろとなって、破断可能なテープ３を剥離する際に指先で容易に摘むことができる。また、破断可能なテープ３の幅は、筒体２の折り返された一方端部２３を挟持した状態で、筒体２の表面側が４５ｍｍ以上９０ｍｍ以下であり、筒体２の裏面側が０ｍｍ以上４５ｍｍ以下である。なお、破断可能なテープ３の幅は、筒体２の表面側が６０ｍｍ以上７０ｍｍ以下であることがより好ましく、筒体２の裏面側が２０ｍｍ以上３０ｍｍ以下であることが好ましい。破断可能なテープ３の幅を上記の範囲内のものとすることにより、筒体２の一方端部２３が、破断可能なテープ３により安定に保持され、筒体２の一方端部２３が、クラフト紙袋１の内容物を十分に支持することができる。
【００２７】
本発明のクラフト紙袋１においては、筒体２の表面側において、一方端部２３を上方とするとき、破断可能なテープ３の左側の摘みしろの長さが、破断可能なテープ３の右側の摘みしろの長さよりも長いことが好ましい。ここで、クラフト紙袋１の取り扱い者が右利きである場合、左側の摘みしろを摘んで右側に引っ張るため、左側の摘みしろを長くしておくことにより、右利きの作業者によるクラフト紙袋１の開封作業がより容易になる。
【００２８】
破断可能なテープ３の材質は、後述する硬質材料製テープ３２よりも軟質の材料であり、筒体２の折り返された一方端部２３を保持可能な材料であれば、特に限定されるものではないが、例えば、硬質材料製テープ３２を構成する硬質材料よりも軟質のプラスチック材料からなるフィルムやシート、クラフト紙を含めた紙材料等を挙げることができる。これらの中でも、破断性が良好であり、筒体２の折り返された一方端部２３を保持する性能に優れ、接着剤を介したクラフト紙層２１との接着性にも優れることから、紙材料を用いることが好ましい。
【００２９】
（切れ込み）
本発明においては、筒体２の一方端部２３を挟持する破断可能なテープ３のうち、筒体２からはみ出した摘みしろの少なくとも一部に、筒体２の折り返された端部が保持される位置に、筒体２の端部と平行な一本の切れ込み３１が設けられている。クラフト紙袋１を開封する際には、この切れ込み３１から、筒体２の表面側に位置する破断可能なテープ３の幅方向端部３３に至る、破断可能なテープ３の一部を帯状に剥離することにより、筒体２の一方端部２３が露出して、筒体２の一方端部２３が開口可能な状態となる。筒体２の表面側における破断可能なテープ３の切れ込み３１の位置は、筒体２の折り返された一方端部２３の位置と略一致する位置であることが好ましいが、筒体２の表面側における破断可能なテープ３の、切れ込み３１から破断可能なテープ３の幅方向端部３３までの距離は、１５ｍｍ以上７０ｍｍ以下であることが好ましく、３０ｍｍ以上４５ｍｍ以下であることがより好ましい。切れ込み３１と破断可能なテープ３の幅方向端部３３の距離を、上記の範囲内のものとすることにより、破断可能なテープ３の一部を帯状に剥離する際に、剥離する部位を容易に摘むことができるようになり、安定して破断可能なテープ３の一部を剥離することができる。
【００３０】
（硬質材料製テープ）
本発明のクラフト紙袋１においては、筒体２の表面側の、破断可能なテープ３の接着面側に、筒体２と破断可能なテープ３に挟まれるようにして、筒体２の端部と平行な硬質材料製テープ３２が設けられている。硬質材料製テープ３２は、破断可能なテープ３よりも硬質の材料から構成し、これにより、この硬質材料製テープ３２を引っ張ることにより、より軟質の破断可能なテープ３が破断される。この硬質材料製テープ３２は、破断可能なテープ３の切れ込み３１の他方端部２４側に設けられており、切れ込み３１を挟んで、筒体２の折り返された一方端部２３と反対側に設けられていて、硬質材料製テープ３２の幅方向端部と、切れ込み３１が、略一致した位置に保持されている。このため、硬質材料製テープ３２は、クラフト紙袋１の一方端部２５から、２５ｍｍ以上３０ｍｍ以下の位置に設けられることとなる。このような硬質材料製テープ３２を設けることにより、破断可能なテープ３の一部を帯状に剥離する際に、筒体２の一方端部２３に沿った破断可能なテープ３の剥離を担保することができ、結果として、クラフト紙袋１を安定して開封することができるとともに、筒体２の折り返された一方端部２３に、破断可能なテープ３の接着面に塗布された接着剤が付着することを防止することができる。硬質材料製テープ３２の素材としては、破断可能なテープ３を構成する材料よりも硬質のものであれば、特に限定されるものではないが、例えば、金属箔や、硬質プラスチック材料を用いることが好ましく、２軸延伸ポリプロピレンフィルムを使用することがより好ましい。２軸延伸ポリプロピレンフィルムのフィルム厚は、１００μｍ以上１４０μｍ以下であることが好ましい。
【００３１】
（接着面）
破断可能なテープ３の接着面には、接着剤が塗布される。この接着面に塗布される接着剤としては、特に限定されるものではなく、従来汎用されている接着剤を用いることができる。そのような接着剤としては、共役ジエン共重合体系の接着剤、酢酸ビニル系の接着剤、アクリル系の接着剤、ポリビニルアルコール接着剤、デンプン系の接着剤、ゼラチン等のタンパク質系の接着剤、カルボキシメチルセルロース系の接着剤等のセルロース系の接着剤、寒天、アルギン酸、アラビアゴム等を用いた水溶性天然高分子系の接着剤等を使用することができる。これらの中でも、接着強度や速乾性の観点から、酢酸ビニル系の接着剤を用いることが好ましい。
【実施例】
【００３２】
＜実施例１＞
３枚のクラフト紙から筒体を形成し、筒体の内側にポリエチレン製の筒体を挿入した上で切断して、幅４９５ｍｍ、長さ７３７ｍｍの筒体を形成した。この筒体の一方端部を２５ｍｍ折り返して、２軸延伸ポリプロピレンフィルムからなる硬質材料製テープを挟持させつつ、接着面に酢酸ビニル系接着剤を塗布した紙テープで折り返した一方端部を挟持するように固定した。ここで、筒体の一方端部を上方とするとき、クラフト紙袋の表面側の左側の紙テープは、筒体から２５ｍｍはみ出しており、右側の紙テープは、筒体から１５ｍｍはみ出していた。紙テープの幅方向寸法は、表面側が６５ｍｍ、裏面側が２５ｍｍで、紙テープの表面側の幅方向端部から３８ｍｍ、クラフト紙袋の一方端部から２７ｍｍの左右の部位に、切れ込みが入れられていた。硬質材料製テープの位置は、表面側の幅方向端部から３５ｍｍ、一方端部から３０ｍｍに位置しており、上記の切れ込みの幅方向端部側に位置していた。
【００３３】
このクラフト紙袋の紙テープの一部を切れ込みに沿って帯状に剥離し、クラフト紙袋の取り扱い性、掴みやすさ及び開封容易性についてモニター試験により評価した。
【００３４】
＜比較例１＞
紙テープに設けられる切れ込みの位置を、表面側の幅方向端部から１０ｍｍ、一方端部から５５ｍｍの左右の部位とし、硬質材料製テープの位置を、紙テープの表面側の幅方向端部から２３ｍｍ、クラフト紙袋の一方端部から４２ｍｍの位置とした点以外は、実施例１と同様にしてクラフト紙袋を作製し、クラフト紙袋の取り扱い性、及び開封容易性について評価した。なお、このクラフト紙袋においては、筒体の折り返された端部が保持される位置に、紙テープの切れ込みが位置していないものであった。
【００３５】
＜比較例２＞
紙テープを、筒体の一方端部を上方とするとき、クラフト紙袋の表面側の左側の紙テープが、筒体からはみ出していないものとし、右側の紙テープが、筒体からはみ出していないものとした点以外は、実施例１と同様にクラフト紙袋を作製し、クラフト紙袋の取り扱い性、掴みやすさ及び開封容易性についてモニター試験により評価した。
【００３６】
＜比較例３＞
紙テープの幅方向の寸法を、筒体の表面側が３５ｍｍ、裏面側が５５ｍｍとなるように変更した点以外は、実施例１と同様にクラフト紙袋を作成し、クラフト紙袋の取り扱い性、掴みやすさ及び開封容易性についてモニター試験により評価した。
【００３７】
＜モニター試験の評価基準＞
上述のように、取り扱い性、掴みやすさ、開封容易性についてモニター試験により評価した。モニターは５名であり、評価は以下の評価基準に基づき、３段階評価した。得られた結果について、掴みやすい／開封しやすいを２点、やや掴みにくい／やや開封しにくいを１点、掴めない／開封できないを０点として、平均点を算出し、以下の基準で試作品の評点を割り振った。これらのうち、○が合格を示す。
【００３８】
［掴みやすさ］
○：１．５点以上
△：０．５点以上１．５点未満
×：０．５点未満
【００３９】
［開封容易性］
○：１．５点以上
△：０．５点以上１．５点未満
×：０．５点未満
【００４０】
以上の結果を表１に示す。
【表１】
2017214104.tif 000003
【００４１】
表１から明らかなように、本発明のクラフト紙袋においては、その取り扱い性が良好であったとともに、掴みやすさ及び開封容易性も比較例のクラフト紙袋よりも格段に良好なものとなった。以上の結果より、本発明のクラフト紙袋は、取り扱い性、摘みしろの掴みやすさ、開封容易性に共に優れていることが分かる。
【符号の説明】
【００４２】
１      クラフト紙袋
２      筒体
２１    クラフト紙層
２２    熱可塑性樹脂層
２３    筒体の一方端部
２４    他方端部
２５    クラフト紙袋の一方端部
３      破断可能なテープ
３１    切れ込み
３２    硬質材料製テープ
３３    幅方向端部
【図１】
2017214104.tif 000004
【図２】
2017214104.tif 000005
【図３】
2017214104.tif 000006
【図４】
2017214104.tif 000007